(57)【特許請求の範囲】
【請求項１】
本体を備えたヘアケア機器であって、前記本体は、
外壁と、
第１の端部と、
第２の端部と、
前記第１の端部から前記第２の端部に延びる長手方向軸Ａ−Ａと、
前記外壁内を延びるダクトと、
前記ダクトと前記外壁との間を前記長手方向軸Ａ−Ａに沿って前記第２の端部に向かって一次流体出口まで延びる一次流体流路と、
前記一次流体流路内の流れ誘導プレートと、
前記流れ誘導プレート上に配置される一対のガイド面と、を有し、
前記一対のガイド面は、それぞれのガイド面が前記流れ誘導プレートから離れて前記本体の前記第２の端部の方に湾曲し、頂点において他方のガイド面と交わる、
ことを特徴とするヘアケア機器。
【請求項２】
前記流体流路は、前記長手方向軸Ａ−Ａに沿って延びる、
請求項１に記載のヘアケア機器。
【請求項３】
前記流れ誘導プレートは、前記長手方向軸Ａ−Ａと概ね直交する、
請求項２に記載のヘアケア機器。
【請求項４】
前記一次流体流路は、前記本体内で概ね環状である、
請求項１から３のいずれかに記載のヘアケア機器。
【請求項５】
ハンドルをさらに備え、前記一次流体流路は、前記ヘアケア機器内への一次流体入口を含み、該一次流体入口は、前記ハンドル内に存在する、
請求項４に記載のヘアケア機器。
【請求項６】
前記一次流体流路は、前記ハンドル内で概ね円形である、
請求項５に記載のヘアケア機器。
【請求項７】
前記流れ誘導プレートは、前記ハンドルからの流れが前記本体に入り込んだときに、該ハンドルからの流れを導くためのものである、
請求項６に記載のヘアケア機器。
【請求項８】
前記流れ誘導プレートは、前記ダクトの周囲の一次流体流を偏向させる、
請求項６に記載のヘアケア機器。
【請求項９】
前記一次流体流路内の一次流体は、前記ハンドル内を第１の方向に流れて、前記本体内を第２の方向に流れる、
請求項５から８のいずれか１項に記載のヘアケア機器。
【請求項１０】
前記ガイド面は、前記一次流体流を前記第１の方向から前記第２の方向に導く、
請求項９に記載のヘアケア機器。
【請求項１１】
前記ガイド面は、前記ハンドルから半径方向に離間する、
請求項５から１０のいずれか１項に記載のヘアケア機器。
【請求項１２】
前記本体は、前記流れ誘導プレートの下流に配置されたヒータをさらに有する、
請求項１１に記載のヘアケア機器。
【請求項１３】
前記ヘアケア機器は、ヘアドライヤである、
請求項１から１２のいずれか１項に記載のヘアケア機器。
【発明の詳細な説明】
【技術分野】
【０００１】
本発明は、手持型機器に関し、特にヘアケア機器、及びこのような機器からの流体出口に関する。
【背景技術】
【０００２】
塗料又は毛髪などの物質の乾燥、及び表層の洗浄又は除去などの様々な用途には、送風機、特に温風送風機が使用される。また、髪を濡れた状態又は乾いた状態から整えるためにも、高温整髪ブラシなどの温風送風機が使用される。
【０００３】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体吸気口にフィルタが設けられる。従来、このような機器は、機器から排出される流体流の形状及び速度を変化させる、取り付け及び取り外しが可能なノズルを備える。このようなノズルは、その時のユーザの要求に応じて、機器の流出を集中させたり、又は流出を拡散させたりするために使用することができる。
【発明の概要】
【課題を解決するための手段】
【０００４】
第１の態様によれば、本発明は、外壁と、外壁内を延びる内壁と、内壁と外壁との間を延びる一次流体流路と、一次流体流路内の流れ誘導プレートと、流れ誘導プレート上に配置され、頂点で交わる少なくとも２つのガイド面とを有する本体を備えたヘアケア機器を提供する。
【０００５】
本体は、第１の端部と、第２の端部と、第１の端部から第２の端部に延びる長手方向軸Ａ−Ａとを有し、流体流路は長手方向軸Ａ−Ａに沿って延びることが好ましい。
【０００６】
流れ誘導プレートは、長手方向軸Ａ−Ａと概ね直交することが好ましい。
【０００７】
少なくとも２つのガイド面は、長手方向軸Ａ−Ａに沿って頂点に向かって延びることが好ましい。
【０００８】
一次流体流路は、本体内では概ね環状であることが好ましい。
【０００９】
機器は、ハンドルをさらに備え、一次流体流路は、機器内への一次流体入口を含み、一次流体入口はハンドル内に存在することが好ましい。
【００１０】
一次流体流路は、ハンドル内では概ね円形であることが好ましい。
【００１１】
流れ誘導プレートは、ハンドルからの流れが本体に入り込んだ時に、この流れを導くためのものであることが好ましい。
【００１２】
流れ誘導プレートは、ダクトの周囲の一次流体流を偏向させることが好ましい。
【００１３】
一次流体流路内の一次流体は、ハンドル内を第１の方向に流れて、本体内を第２の方向に流れることが好ましい。
【００１４】
少なくとも２つのガイド面は、ハンドルから半径方向に離間することが好ましい。
【００１５】
本体は、流れ誘導プレートの下流に配置されたヒータをさらに備えることが好ましい。
【００１６】
本体は、概ね管状であり、上半分及び下半分を有し、ハンドルは下半分に接続されることが好ましい。本体の下半分には、比較的高速の領域が存在することが好ましい。本体の上半分には、比較的低速の領域が存在することが好ましい。
【００１７】
一次流体流路は、比較的高速の領域と、比較的低速の領域とを有し、少なくとも２つのガイド面は、比較的低速の領域内に存在することが好ましい。
【００１８】
本体の上半分には、大型のＰＣＢ部品が配置されることが好ましい。本体の下半分には、小型のＰＣＢ部品が配置されることが好ましい。大型のＰＣＢ部品は、取り付けられた回路基板から最も遠くまで延びる部品であることが好ましい。
【００１９】
機器は、ヘアドライヤであることが好ましい。
【００２０】
以下、添付図面を参照しながら本発明を一例として説明する。
【図面の簡単な説明】
【００２１】
【図１】本発明による機器の斜視図である。
【図２】図１の機器の断面図である。
【図３】本発明による機器の拡大断面図である。
【図４】本発明による流れ誘導プレートの前方等角図である。
【図５】本発明による流れ誘導プレートのさらなる等角図である。
【発明を実施するための形態】
【００２２】
図１及び図２に、ハンドル２０及び本体３０を備えたヘアドライヤ１０を示す。ハンドルは、本体３０に接続された第１の端部２２と、本体３０からの遠位側に存在する、一次流体入口４０を含む第２の端部２４とを有する。ヘアドライヤ１０には、ケーブル５０を介して電力が供給される。ケーブル５０のヘアドライヤ１０からの遠位端には、例えば主電源又はバッテリパックへの電気的接続をもたらすプラグ（図示せず）が設けられる。
【００２３】
ハンドル２０は、本体３０からハンドルの遠位端２４の方に延びる外壁２００を有する。ハンドルの遠位端２４では、外壁２００を横切って端壁２１０が広がる。ケーブル５０は、この端壁２１０を通じてヘアドライヤに入り込む。ハンドル２０の一次流体入口４０は、ハンドル２０の遠位端２４から延びる一連の行及び／又は列の形でハンドルの外壁２００に沿ってその周囲に広がる第１の開口部４２と、ハンドル２０の端壁２１０を貫いてその全体に広がる第２の開口部４６とを有する。ケーブル５０は、端壁２１０のほぼ中央に位置し、従ってハンドル２０の中心から延びる。ハンドル２０は、長手方向軸Ｘ−Ｘを有し、外壁２００は、この軸に沿って本体３０から遠位端２４に向かって延びる。
【００２４】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きによって変化し、ユーザの気が散ってしまう。
【００２５】
一次流体入口４０の上流には、ファンユニット７０が設けられる。ファンユニット７０は、ファン及びモータを含む。ファンユニット７０は、一次流体入口４０から本体３０内に延びる一次流体流路４００を通じて、一次流体入口４０から本体３０に向けて流体を吸い込み、ハンドル２０と本体３０は９０において接合される。本体３０は、第１の端部３２及び第２の端部３４を有し、一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００２６】
本体３０は、外壁３６０及び内側ダクト３１０を含む。一次流体流路４００は、ハンドル２０と本体３０との接合部９０から本体に沿って、外壁３６０と内側ダクト３１０の間を本体３０の第２の端部３４における一次流体出口４４０に向かって延びる。
【００２７】
内壁２６０は、外壁３６０内を延びる。内壁２６０は、少なくとも部分的に一次流体出口４４０を定め、本体３０の第２の端部３４から内側ダクト３１０と外壁３６０との間に延びる。
【００２８】
本体内には別の流体流路も設けられ、この流れはファンユニット又はヒータによって直接処理されず、ヘアドライヤ内の一次流を形成するファンユニットの作用によってヘアドライヤに吸い込まれる。この流体流は、一次流体流路４００内を流れる流体によってヘアドライヤ内に取り込まれる。
【００２９】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、内側ダクト３１０内を流体入口３２０から流体出口３４０に延びる。本体３０の第１の端部３２では、外壁３６０と内側ダクト３１０との間に側壁３５０が広がる。この側壁３５０は、少なくとも部分的に流体入口３２０を定める。一次流体出口４４０は環状であり、流体流路を取り囲む。
【００３０】
本体３０内の側壁３５０及び流体入口３２０の近くには、ヘアドライヤの制御電子回路を含むＰＣＢ（Printed Circuit Borad）７５が存在する。ＰＣＢ７５はリング状であり、内側ダクト３１０と外壁３６０との間で内側ダクト３１０の周囲に延びる。ＰＣＢ７５は、一次流体流路４００と流体連通する。ＰＣＢ７５は、流体流路３００の周囲に延び、内側ダクト３１０によって流体流路３００から分離される。
【００３１】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【００３２】
ＰＣＢ７５の下流にはヒータ８０が存在し、ＰＣＢ７５とヒータ８０との間には流れ誘導プレート７００が設けられる。流れ誘導プレートは、とりわけヒータ８０がオンになった時にＰＣＢ７５の熱保護を行う。
【００３３】
使用時には、ファンユニット７０の作用によって流体が一次流体流路４００内に吸い込まれ、任意にヒータ８０によって加熱されて一次流体出口４４０から排出される。この処理流により、流体入口３２０において流体流路３００内に流体が取り込まれるようになる。この流体は、本体の第２の端部３４において処理流と合流する。図２に示す例では、この処理流が、流体出口３４０を通じてヘアドライヤから排出される取り込まれた流れを取り囲む環状流として一次流体出口４４０及びヘアドライヤから排出される。従って、ファンユニット及びヒータによって処理された流体は、取り込まれた流れによって増大する。
【００３４】
次に、図３、図４及び図５を具体的に参照しながら、流れ誘導プレート７００について説明する。ハンドル２０は概ね管状であり、一次流体流路４００は、ハンドル２０と本体３０との間の接合部に入り込む際には概ね円形である。一次流体流路４００は、この地点で９０°方向を変え、円形流から、ダクト３１０と本体３０の外壁３６０との間でダクト３１０を取り囲む環状流に変化する。これらの変化は、一次流体流路４００内の流速に影響を与える。
【００３５】
本体３０が、その長さに沿って延びる長手方向軸Ａ−Ａを中心に対称であることを考慮すると、ダクト３１０及び外壁３６０は、ダクト３１０と外壁３６０との間に位置するヒータ８０と同様に同心状である。
【００３６】
一次流体流路４００内の一次流体は、本体３０とハンドル２０との間の接合部９０に到達すると、方向と形状の両方を変えなければならない。これにより、本体３０内の接合部９０に近い高速流領域と、本体３０内の接合部９０から半径方向に離れた低速流領域とが生じる。本体３０が、ハンドル２０から半径方向に離れた上半分３８０と、本体３０とハンドル２０との間の接合部９０を含む下半分３９０とを有すると考えた場合、下半分３９０の流れは、上半分３８０よりも相対的に高速である。
【００３７】
ＰＣＢの配置、及び一次流体流路４００が本体３０に流入する際の方向の変化に起因するあらゆる圧力損失を最小化するために、一次流体流路４００内の流れを、ＰＣＢ７５及びＰＣＢに取り付けられた構成部品上及びその周囲で湾曲させ又は誘導するように流れ誘導プレート７００を設ける。
【００３８】
本体３０に入り込んだ流体は、一次流体出口４４０に向かって流れるとともに、ダクト３１０の周囲を本体３０の上部３８０に向かって流れる。流れ誘導プレート７００は、流体がダクト３１０の周囲をダクト３１０の両側に流れて本体３０の上部３８０において合流した時に本体３０の上部３８０の流体を導く一対のガイド面７１０、７２０を含む。２つのガイド面７１０、７２０は、流れ誘導プレート７００に一体化されて、各ガイド面７１０、７２０が、流れ誘導プレート７００から離れて本体３０の第２の端部３４の方に湾曲し、頂点７３０において他方のそれぞれのガイド面７２０、７１０と交わるように構成されることが好ましい。
【００３９】
２つのガイド面７１０、７２０は、本体３０の上半分３８０内を流れる流体を一次流体出口４４０の方に導くことによって本体３０内の乱流を低減する。
【００４０】
ヘアドライヤに関して本発明を詳細に説明したが、本発明は、流体を吸い込んでこの流体を機器から流出させるように導くあらゆる機器に適用可能である。
【００４１】
この機器は、ヒータの有無に関わらず使用することができ、流体の高速流出作用は乾燥効果を有する。
【００４２】
一般に、機器内を流れる流体は空気であるが、数種類又は一種類の気体の異なる組み合わせであってもよく、機器の性能、或いは出力が向けられる毛髪などの物体及びそのスタイリングに機器が与える影響を改善する添加物を含むこともできる。
【００４３】
本発明は、上述した詳細な説明に限定されるものではない。当業者には、変形例が明らかであろう。
【符号の説明】
【００４４】
７００  流れ誘導プレート
７１０  ガイド面
７３０  頂点
【図１】
0006353014.tif 000002
【図２】
0006353014.tif 000003
【図３】
0006353014.tif 000004
【図４】
0006353014.tif 000005
【図５】
0006353014.tif 000006